(57)【特許請求の範囲】
【請求項１】
ベッドや敷布団等の寝具類の幅方向一側上方域を一定以上の負荷に耐え得る構造のものとして覆い他側を開放状に形成した防護装置であって、底フレームと主フレームと副フレームと連結フレームとを備え、前記底フレームは、対応する２辺が端部とされ端部間をつなぐ部分が側部とされた平面がコの字形部分をもつ板状のもので形成されるとともに前記端部が寝具類の長手方向端部に平行に対応し側部が寝具類の側部に平行に対応するものとされ、前記主フレームは、底フレームの各端部における寝具類の幅間に対応する位置から立設される前後２本の主支柱と、これら主支柱の上端間を寝具類の幅間に対応する上方を通るようにして継ぐ主上ガードとによって門型に形成され、前記副フレームは、底フレームから立設される前後一対の副支柱とこれら副支柱の上端間をつなぐ副上ガードとによって門型に形成されて底フレーム上の寝具類側方に対応して立設され、前記連結フレームは、主フレームの主上ガードと副フレームの副上ガードとの間を継ぐべく設けられていることを特徴とする防護装置。
【請求項２】
請求項１に記載のものにおいて、前記主フレームおよび副フレームは、底フレームに対し脱着自在に構成されている防護装置。
【請求項３】
請求項１に記載されたものにおいて、主フレームおよび副フレームの上には、水タンクやペットボトルなどの非常用品や布団・毛布・衣類等の非常用品が緩衝作用をする緩衝手段として載置されるべく受材が設けられている防護装置。
【発明の詳細な説明】
【０００１】
【発明の属する技術分野】
この発明は、地震、龍巻、土砂崩れなどで家屋が倒壊等する場合に安全性を確保することができるようにした防護装置に関する。
【０００２】
【従来の技術】
例えば、巨大地震が発生するとビルを含む家屋が倒壊し、生命すら奪われることが多くある。
【０００３】
【発明が解決しようとする課題】
その対策として、ベッド等の四隅に対応する四本支柱と、同支柱間を継ぐ連結部材とでやぐら状の防護装置を本出願人が先に提案した。しかし、こうした防護装置は、巨大地震による倒壊に非常に有効ではあるものの、四方に支柱があるため、通常時に寝床に出入りする際に出入り側の支柱の存在がどうしても視界に入って差し障る不都合があるだけでなく、実際にベッドに寝た状態でも四方に支柱があると圧迫感とか狭苦しさを感じるなど快適さにやや欠けるといった課題が残された。
その対策が望まれていたが、未だ有効な方法がなく、その対策が望まれていた。
【０００４】
この発明は前記課題を解決するためになされたもので、通常使用時における快適さを追求する一方、地震などの緊急時の倒壊等に瞬時の判断に基づき生命の安全確保が充分に得られるようにした防護装置を提供することを目的とする。
【０００５】
【課題を解決するための手段】
前記課題を解決するため、請求項１に記載の発明は、ベッドや敷布団等の寝具類の幅方向一側上方域を一定以上の負荷に耐え得る構造のものとして覆い他側を開放状に形成した防護装置であって、底フレームと主フレームと副フレームと連結フレームとを備え、前記底フレームは、対応する２辺が端部とされ端部間をつなぐ部分が側部とされた平面がコの字形部分をもつ板状のもので形成されるとともに前記端部が寝具類の長手方向端部に平行に対応し側部が寝具類の側部に平行に対応するものとされ、前記主フレームは、底フレームの各端部における寝具類の幅間に対応する位置から立設される前後２本の主支柱と、これら主支柱の上端間を寝具類の幅間に対応する上方を通るようにして継ぐ主上ガードとによって門型に形成され、前記副フレームは、底フレームから立設される前後一対の副支柱とこれら副支柱の上端間をつなぐ副上ガードとによって門型に形成されて底フレーム上の寝具類側方に対応して立設され、前記連結フレームは、主フレームの主上ガードと副フレームの副上ガードとの間を継ぐべく設けられていることを特徴とする。
【０００６】
請求項２に記載の発明は、請求項１に記載のものにおいて、前記主フレームおよび副フレームは、底フレームに対し脱着自在に構成されている。
【０００７】
請求項３に記載の発明は、請求項１に記載されたものにおいて、主フレームおよび副フレームの上には、水タンクやペットボトルなどの非常用品や布団・毛布・衣類等の非常用品が緩衝作用をする緩衝手段として載置されるべく受材が設けられている。
【０００８】
【発明の実施の形態】
以下、図示した実施形態を参照してこの発明を詳細に説明する。
図１は、この発明の一実施形態を示すもので、同実施形態は、ダブルサイズベッド（シングルサイズにも適用することができる）Ｂに適用される防護装置についてのものである。勿論、和風である敷布団にも適用できる。
【０００９】
１は底フレームで、平面がコの字形をした板状のもので、同フレーム１は、四角な枠体であったり、運搬可能な分割式であってもよい。
【００１０】
また、同フレーム１は、丸パイプや角パイプ、アングル材や他の形鋼でもよい。このことは以下の実施形態でも同様に言えることである。
【００１１】
２は側部、３は端部で、端部３は前記コの字形の対応する２つの辺であり、側部２はそれら端部３，３間をつなぐ辺であり、端部３，３はベッドＢの長手方向端部に平行に対応し側部２はベッドＢの側部に平行に対応するものになっており、端部３には仮想線のように安定板部４を付してもよい。尚、両端部３，３のそれぞれの中心線間の寸法は、２４００ｍｍに設定されている。この寸法は、例えば、側部２の長さ調節手段により大小に変更可能にもなる。尚、底フレーム１の底側には緩衝手段を介装可能で、これは以下の例でも同様に適用が可能である。
【００１２】
５は主フレームで、同フレーム５は、２本の主支柱６，６とその上端間をアール部を介して一体に継ぐ主上ガード７とで門型になっている。主フレーム５は、衝撃を吸収しやすく軽量な薄肉状のパイプを使用することを一般とし、材質はステンレスでも鋼鉄やアルミ合金、銅系その他の金属でもよく、プラスチック、合成ゴムでもよい。このことは以下の各実施形態でも同様に言えることである。尚、主フレーム５の高さは、ここで１６００ｍｍ前後に設定されるが、それより低く、例えば、１２００ｍｍ前後に、あるいはそれより高く１８００〜２０００ｍｍにすることもあり、さらにその以外の高さに設定することもある。この主フレーム５は、主支柱６，６と主上ガード７との三者を分割式で差し込み等で接続可能に構成することができる。また、一方の主支柱６と主上ガード７の半長分を１つのフレームとし、他方の主支柱６と主上ガード７の残る半長分を他の１つのフレームとし、これらを差し込み等により接続可能にしてもよい。ここに差し込みとは、一方のパイプに中軸を固着しておき他方のパイプに差し込んだり、一方のパイプと他方のパイプとを異なる径として互いを差し込むようにする。このことは以下の各実施形態でも同様に言えることである。
【００１３】
主フレーム５は、底フレーム１の、丁度ベッドＢの幅中間上方に対応するように立設されている。具体的には、副フレーム１０の中心から６８０ｍｍ離れたところに主フレーム５が立設されている。更にこの寸法は、より大きくする場合と小さくする場合とがある。尚、底フレーム１上には、主フレーム５より１回り径の大きい基部補強パイプを溶接等により固着してこれに主フレーム５を差し込み、補強パイプと主フレーム５を固着したり止着具で脱着自在にしてもよい。このことは以下の各実施形態でも同様に言えることである。前記寸法を大きくするとは、例えば図１のフレーム５位置とベッドＢの図１右端中間にフレーム５を配置したりすることを含む。
【００１４】
主フレーム５は、底フレーム１との間にＬ形等の手すり９を備えて補強を兼ねるものになっている。この手すり９は、ベッドＢの一側部よりもやや主フレーム５側に引っ込んだ状態になっており、開放感を与えるようにしてある。シングルベッドの場合や通常幅敷布団の場合には、同手すり９を主フレーム５寄りの小さいものにすることができる。
【００１５】
１０は副フレームで、主フレーム５と同じく副支柱１１，１１と副上ガード１２の３辺からなる門型をしたもので、主フレーム５よりは細くしかもかなり幅の狭いフレーム体でなる。この副フレーム１０は、ベッドＢの一側で側部２上に２本立設され、主フレーム５と略同じ高さになっている。そして、主フレーム５と副フレーム１０間は、１本あるいは複数本の連結フレーム１３で継がれている。副フレーム１０の基部も主フレーム５の基部と上記同様の固着方法を採用することができる。通常は図１の仮想線のように就寝する地震等の非常時には矢印ＸやＹ方向に避難すれば安全性が確約される。
【００１６】
尚、副フレーム１０を主フレーム５より低くしたりあるいは高くすることができる（仮想線）。また、連結フレーム１３は仮想線のように副フレーム１０及び主フレーム５の上側に備えてもよい。
さらに、副フレーム１０と主フレーム５とは基部において実線のように基部板１４で継いだり筋交い１５でつないだりしてもよい。
また、副フレーム１０と主フレーム５間の上部には、図示のようなワイヤあるいはロープによる防護網１６を張設したり、パンチングメタルを張設してもよい。両副フレーム１０間には他の継ぎパイプを連結してもよい。
さらに、副フレーム１０と主フレーム５の就寝者の頭部側の上方には特別の防護手段を構成することができる。例えば、継ぎパイプや網、発泡スチロール体などを適宜に組み合わせてより完全な防護を構成する。このことは以下の各実施形態でも同様に言えることである。防護網（金属その他）を芯にゴム等の緩衝材で一体成形したものを緩衝手段としてもよい。
【００１７】
図２は、主フレーム５あるいは副フレーム１０その他のパイプの緩衝手段についての実施形態で、例えば、主フレーム５の外周に合成ゴムや軟質樹脂等による緩衝手段１８を被包してもよい。この場合、同実施形態のように内部にエアー溜まりを形成するとより緩衝作用が高まる。この緩衝手段１８の外周あるいは緩衝手段なしの場合は主フレーム５外周に竹模様（青竹模様も含む）を付してもよく、竹模様は、塗装手段による他、粘着シート等によってもよい。このことは以下の各実施形態でも同様に言えることである。尚、複数本並列のパイプを１本緩衝手段で被包してもよく、緩衝手段は図示より更に大径化してもよい。
【００１８】
図３は他の実施形態を示している。同実施形態は、副フレーム１０の他の態様を示すもので、副フレーム１０が主フレーム５と同様に１本の長いフレームとされており、より完全な安全確保を図ったものである。重量的には図１のものより少し軽量化され得る。
【００１９】
尚、副フレーム１０の基部を主フレーム５の方向に曲げて同主フレーム５及び底フレーム１と合体化してもよい。逆に主フレーム５側から副フレーム１０に向けて曲基部を延ばしてもよい。これらのことは他の各実施形態でも同様に適用の可能性がある。
また、副フレーム１０と主フレーム５及び複数の連結フレーム１３とで囲まれる個所には、金属網やワイヤ網、ロープ網等による防護手段２０を付して就寝する人の頭部を護るようにしてもよく、連結フレーム１３に直交する他の連結フレームを追加してもよい。
さらに、前記副フレーム１０は仮想線のように主フレーム５よりも少し低くして、負荷を主フレーム５と同時に受け得るようにしてもよい。勿論これらフレーム５，１０の外周あるいはフレーム５，１０の全体上にはゴム、発泡スチロール等の緩衝手段を付してもよい。
また、仮想線のように手すり９を直線パイプ状にしたり補強板状にしてもよい。
【００２０】
図４は主フレーム５と副フレーム１０との間の上側に受材２２をセットして、その上に水タンク２３…等の非常用品や布団・毛布・衣類等の日常用品を載置しておいて非常時に緩衝作用をさせるとともに各用途に使用できるようにした実施形態を示す。上記のことは他の各実施形態でも同様に適用の可能性がある。
尚、上記用品にはペットボトル等の廃品も含み、その中に液体を入れておくか否かはいずれでもよい。
また、これらの上あるいは下側には、発泡スチロールやゴム等の緩衝手段２４を更に組み合わせてもよい。
【００２１】
図５は、副フレーム１０を就寝する人の上半身側に寄せて限定した短いものにした実施形態を示す。同副フレーム１０と主フレーム５とを継ぐ連結フレーム１３を利用してあるいは主フレーム５や副フレーム１０をも利用して網やワイヤ、ロープ等による防護手段２６を付してより防護機能が確実化するようにしてもよい。
【００２２】
図６は、主フレーム５と副フレーム１０との上側に受材２８を備え、同受材２８上を介して、例えば、葦簾をロール状にした防護手段２９を備え付けておき、これが非常時に仮想線のように主フレーム５の開放側に斜めに垂れ落ちるようにした実施形態を示している。尚、同防護手段２６は、紐付きで非常時に下方からした実施形態を示している。尚、同防護手段２６は、紐付きで非常時に下方から引っ張ると落ちるようにしてもよい。この場合、手すり１３を仮想線に平行な斜交状の補強パイプにしてこれに添って防護手段２６が転がり落ちるようにする。
防護手段２６は、ゴムその他のものにしてもよい。また、受材２８上には、葦簾をロール状あるいは適宜の嵩高い状態にしたものを適数個載置あるいは固定しておき緩衝手段にしてもよい。ロール状のものとは、市販のトイレットペーパー等の巻きロール類（染色してもよい）そのものあるいは緩衝用として大径化したものも含まれ、これらを横軸状あるいは縦軸状さらに斜め軸状に載置して緩衝手段としてもよい。
【００２３】
図７は主フレーム５および／または副フレーム１０の改良に係る実施形態で、主フレーム５は、主上ガード７を就寝する人の上方に対応させたまま残して位置させる一方、主支柱６については、副フレーム１０とは他側方向に斜めに下がるものになっている。
この角度については、仮想線のように曲つい傾斜にしたり更に緩い傾斜にすることもある。また、主支柱６については、下半部分を垂直状にしたり、逆に上半部分を垂直状にし下半部分は傾斜させたものにすることができる。
主フレーム５の補強支持については、図示のような三角形等の補強支持板３１で支持したり、主フレーム５の基部に曲がり部を備えて底フレーム１に添って固着するようにしてもよい。
主フレーム５は、仮想線のように、主上ガード７と主支柱６とを分割相互差し込み式とすることもある。
【００２４】
副フレーム１０は、Ｌ形に曲がったパイプとし、これらの複数本で構成することができる。勿論図１その他の支持方式によってもよい。連結フレーム１３を図示のように付加することもある。このフレーム１３については仮想線のように継ぎ方式にし、底フレーム１についても同様に搬送に便利で現場組立が有利なようにする。
【００２５】
また、仮想線のように、図２と同様の長い１本ものにしてもよく、この場合、その基部を曲げて底フレーム１に添って固着するようにすることもできる。
尚、発泡スチロールのように軽量で緩衝作用の大きい緩衝手段３２を適宜に成形して載置、さらには固定するようにしてもよい。同手段３２の底側には網状部材を配してもよい。
【００２６】
図８は、主支柱６（あるいは副フレーム１０）の底フレーム１に対する脱着自在なる固定方法を示す実施形態である。座板３４と止着具３５…により固定するが、その間に緩衝手段３６を挟着してもよい。尚、座板３４を底フレーム１に現場溶接してもよいし、その一方で底フレーム１上に差し込みパイプ等の受けを備えておき、それに現場で差し込むだけあるいは止着具で固定する等することもできる。上記のことは他の各実施形態でも同様に適用の可能性がある。
【００２７】
図９は、主フレーム５及び副フレーム１０が共に斜めな支柱６，１１によるものとされた実施形態を示す。勿論主支柱６については仮想線のように垂直でもよい。３８は緩衝手段である。この材料を問わない。例えば、エアークッション、ウオーターマット方式も含む。副フレーム１０も主フレーム５と同じ径のものにしてもよい。上記のことは他の各実施形態でも同様に適用できる。
【００２８】
図１０は、他の実施形態で、同実施形態は、ベッドＢの一側半分のみあるいは過半部分を覆う矩形枠状のガード本体（パイプ等）４０に連結パイプ４１を付加したものに縦方向の支柱４２…を備えて全体を構成したものである。この実施形態は底フレーム１が前後に分割されているが、それとともにガード本体４０も前後に分割・接続可能にしてもよい。尚、支柱４２…に代えて、上からみてＬ形に曲げられた板（パンチングメタルを含む）により支持部材を構成してもよいし、それに支柱を組み合わせてもよい。
【００２９】
図１１は、図１の主フレーム５及び副フレーム１０の上部に添って緩衝手段４４を装備した実施形態を示す。それとは独立した案として、同図には、ワイヤやロープ、金属網状材等によるガード４５を付したものである。
【００３０】
図１２は、装置の上部全体を緩衝手段４７により覆うとともにカーテン４８により快適さを確保するようにしたものである。これらの緩衝手段には上記した種々の材料の他、現存するあらゆる緩衝可能な材料を使用可能である。上記のことは他の各実施形態でも同様に適用できる。前記カーテン４８はベッドＢの前後に対応して更に広く備えることもある。
【００３１】
図１３及び図１４は、図１１その他のような装置を前提にして、ベッドＢの他側上方域をガードするための実施形態を示す。同実施形態において、装置の前後には、取付板５０が固定され、これらに回転支点軸５１が固着されている。同軸５１を介してコの字枠状をした展開アーム５２が備えられ、主フレーム５側から開放側に向けて非常時に展開するようになっている。
【００３２】
主フレーム５と展開アーム５２との間には、蛇腹状に延び上方からの落下物により破切しないような材料のガード５３が伸縮自在に設けられている。５４は同ガード５３の主フレーム５への取付具である。展開アーム５２の中央にはフック５５が設けられ、これが主フレーム５側の係止片５６の切欠５７に係脱できるようになっている。切欠５７により残された係止片５６の部分は断切部５８として非常時に折損するようになっている。折損作用は、上方から軽量なプラスチック等によるアンテナ型センサー５９に図１４の矢印のように落下物あるいは倒壊物等が当たることでなされる。尚、同センサー５９は、更に上方に向けて立ち上がらせてもよい。また、揺れセンサーによる検知により作動装置（図示省略）が展開アーム５２を展開作動させるようにしたり、機械式に上方に向けたピン（バネつき）が作動子になって展開アーム５２を連動させるようにしてもよい。尚、仮想線のように展開アーム５２の作動を瞬時にするためウエイト６０やバネを使用してもよい。
【００３３】
尚、展開アーム５２は強度メンバーとし、例えば、斜めに設けられた手すり９を支点にして図１３のように展開するようにしてもよい。この場合、ガード５３は設けないこともある。
また、図１４に示すように、主フレーム５に装備した手動抜きピン６１を抜くことでアーム５２が展開するようにすることもある。
【００３４】
図１５から図２３は変形的な実施形態を示す。図１５の実施形態は、パイプあるいは前記のような帯板状をした底フレーム１に補強基部を介して主フレーム５を立設し、これに対して、副フレーム１０を、コの字枠を側面からみて逆Ｌ形に曲げたものにして主フレーム５に結合してある。同副フレーム１０は、できるだけ就寝する人の頭部等重要なところに対応するように位置するものとする。尚、ワイヤーやロープ等を付加することは自由である。このことは他の各実施形態でも同様に適用できる。
【００３５】
図１６に示す実施形態は、底フレーム１の対角線上に添って主フレーム５を立設し、頭部等の安全を確保するため、副フレーム１０を略Ｙ形をなすように補助的に結合したものである。仮想線に示すようなＹ字形に形成してもよい。
破線（以下同じ）の６３は補助ガードで、ワイヤーや強度ロープ等を示すもので、勿論細いパイプで構成することもできる。尚、フレームは上からみてＸ字状をなすように形成してもよい。
【００３６】
図１７に示す実施形態は、対角線上の主フレーム５に対し副フレーム１０を三角形をなすように組み合わせ支柱６５で支持させたものである。手前側の支柱を更に付加することがある。
【００３７】
図１８に示す実施形態は、変形台形枠状に形成した側フレーム６７，６７の１対を底フレーム１上に前後対向状に固着し、これらに上ガード６８をパイプ等により接続して、残る上方や側方等に破線である補助ガード６３を張設したものである。補助ガード６３についてはカーテンや内装手段により見えないようにする。このことは他の各実施形態でも同様に適用できる。この実施形態でも装置を前後２乃至３分割式にすることがある。
【００３８】
図１９に示す実施形態は、側フレーム７０を互いに斜めに対向するように配したもので、補助ガード７１…を付してもよい。
【００３９】
図２０に示す実施形態は、底フレーム１上にパンチングメタル等の台形をしたガード７３により装置を構成したものである。この場合、ガード７３は、内外２枚等複数層にし、その間に隙間を存して構成してもよい。隙間内には緩衝手段を介装してもよい。７４は補助ガードである。尚、同実施形態では搬送の便利さを考えて分割方式にしてある。
【００４０】
図２１は前記Ｘ字形装置の具体例を示す。この場合、第１フレーム７５と第２フレーム７６とでなるが、交差する個所で互いのパイプを溶接してもよく、また、同図のように立体交差させてもよい。これらには補助ガード７７…を有効に張ることができる。
【００４１】
図２２はＸ字形の変形例で、上部が湾曲する１対のフレーム７９，７９により装置を構成したもので、連結具８０で相互を結合してもよく、また補助ガード８１を適宜に付す。
【００４２】
図２３は主フレーム５及び副フレーム１０を上部に曲がり部分をもつ支柱のみで形成して立設し、これらの間にワイヤやロープ等によるガード８２…を渡して構成したものである。その具体的な渡し方は、図２４に示す。
すなわち、図２４に示すように、ガード８２…を主フレーム５の曲がり部分内を通じてそれより下部側に導き、アンカー８４で固定してある。仮想線のように両主フレーム５間を下部において一体に継いだものとし、その中を通じて循環式にガード８２を通じてもよい。ガード相互の連結部分は互いに重複させて止着具で固定する。尚、主フレーム５の出口等、ガード８２…が接触する個所にはゴム等の弾性部材を受けとして備えて切損を防止する。
【００４３】
上記はベッドＢの長手方向にガードが向くものであったが、ベッドＢの前後にＵ形フレーム８６を対向して配し、各フレーム８６の上端間にガード８７…を通じてもよい。これらガード８７の前後間にもガードを張設してもよい。
【００４４】
図２６は外装パイプ８８によりガード８９…を伸縮可能に外包したものである。
【００４５】
図２７は図１等の他の実施形態において、主フレーム５等の主上ガード７のパイプ径を細くしその一方でリップ付（無しでもよい）溝形鋼等の外管９１を組み合わせたものである。この外管９１の幅間には突隆部９２が設けられ増強化されている。
【００４６】
図２８は、主フレーム５あるいは副フレーム１０の床下での補強支持方式を示した実施形態を示す。同実施形態において、９３は床構造で、同床構造９３を突き抜けるようにして下部支柱９４が設けられている。この支柱９４は、基部が地盤内に打ち込まれてアンカー９５でより固定化される一方、同支柱９４の上端は主フレーム５に脱着自在に連結されている。一方、図の右側に示すように、主フレーム５の他方は盛り土やコンクリート等による下部支持部９６により受け止められるようになっている。
【００４７】
図２９は、パイプ状あるいは板状の底フレーム１に４本の支柱９８…を立設したもので、同支柱９８内にはスプリング９９が内蔵され、その中に昇降支柱１００が差し込まれることで、通常は支柱１００上の網１０１…付ガード１０２が上昇した位置を保って広い開放空間を提供する一方、非常時の負荷に合わせて支柱１００…が沈んでより安全な狭い空間になるようにした実施形態を示している。
【００４８】
【発明の効果】
この発明は以上のように構成されているので、通常使用時における快適さを追求する一方、地震などの緊急時の倒壊等に瞬時の判断に基づき生命の安全確保が充分に得られるようにした防護装置を提供することができるようになった。
【図面の簡単な説明】
【図１】この発明の一実施形態を示す斜視図。
【図２】緩衝手段をパイプの外周に巻いた実施形態を示す断面図。
【図３】他の実施形態を示す防護装置の斜視図。
【図４】装置上に用品を載置した実施形態を示す断面図。
【図５】他の実施形態を示す防護装置の斜視図。
【図６】補助ガードを装備する他の実施形態を示す防護装置の断面図。
【図７】他の実施形態を示す防護装置の斜視図。
【図８】他の実施形態を示す防護装置基部の斜視図。
【図９】他の実施形態を示す防護装置の斜視図。
【図１０】他の実施形態を示す防護装置の斜視図。
【図１１】他の実施形態を示す防護装置の斜視図。
【図１２】他の実施形態を示す防護装置の斜視図。
【図１３】他の実施形態を示す防護装置の斜視図。
【図１４】図１３の機構を説明した断面図（下部は手前、上部は横断面図）。
【図１５】他の実施形態を示す防護装置の斜視図。
【図１６】他の実施形態を示す防護装置の斜視図。
【図１７】他の実施形態を示す防護装皺の斜視図。
【図１８】他の実施形態を示す防護装置の斜視図。
【図１９】他の実施形態を示す防護装置の斜視図。
【図２０】他の実施形態を示す防護装置の斜視図。
【図２１】他の実施形態を示す防護装置の斜視図。
【図２２】他の実施形態を示す防護装置の斜視図。
【図２３】他の実施形態を示す防護装置の斜視図。
【図２４】ワイヤやロープをガードとして支柱間に渡して防護装置を構成した実施形態を示す側面図。
【図２５】他の実施形態を示す防護装置の正面図。
【図２６】ガードを外装した他の実施形態を示す防護装置の要部正面図。
【図２７】主フレーム等の補助部材を示す断面斜視図。
【図２８】他の実施形態を示す床下支持付防護装置の断面図。
【図２９】他の実施形態を示す防護装置の斜視図。
【符号の説明】
Ｂ…ベッド  ５…主フレーム  １０…副フレーム。
【図１】
0004858740.tif 000002
【図２】
0004858740.tif 000003
【図３】
0004858740.tif 000004
【図４】
0004858740.tif 000005
【図５】
0004858740.tif 000006
【図６】
0004858740.tif 000007
【図７】
0004858740.tif 000008
【図８】
0004858740.tif 000009
【図９】
0004858740.tif 000010
【図１０】
0004858740.tif 000011
【図１１】
0004858740.tif 000012
【図１２】
0004858740.tif 000013
【図１３】
0004858740.tif 000014
【図１４】
0004858740.tif 000015
【図１５】
0004858740.tif 000016
【図１６】
0004858740.tif 000017
【図１７】
0004858740.tif 000018
【図１８】
0004858740.tif 000019
【図１９】
0004858740.tif 000020
【図２０】
0004858740.tif 000021
【図２１】
0004858740.tif 000022
【図２２】
0004858740.tif 000023
【図２３】
0004858740.tif 000024
【図２４】
0004858740.tif 000025
【図２５】
0004858740.tif 000026
【図２６】
0004858740.tif 000027
【図２７】
0004858740.tif 000028
【図２８】
0004858740.tif 000029
【図２９】
0004858740.tif 000030